(57)【要約】      （修正有）【課題】接着剤を使用せず、防食テープを巻く作業を行わず、熟練した作業を必要としない、誰でも、確実、容易かつ短時間で行える、ケーブル収容管の補修構造を提供する。【解決手段】ケーブル収容管１の損傷した個所の撤去後、ケーブル露出個所に下側半割管５を押し当て、下側半割管５の上側の両端縁に２つのＨ型のジッパーガスケット６の各ジッパー用開口溝を外側にして各下側の開口溝を嵌め入れてジッパーガスケット６を装着し、ケーブル露出個所の上方から上側半割管７を被せて、ジッパーガスケット６の上側の開口溝に上側半割管７の下側の両端縁を嵌め入れ、ジッパーガスケット６の外側にあるジッパー用開口溝にジッパー６ｄを嵌め込んでジッパーガスケット６を固定して下側半割管５と上側半割管７を一体に固定して補修管８を形成し、ケーブル収容管１の両端と補修管８の両端とを付き合わせた位置に管継手を被せて固定した。【選択図】図６
0003113083.tif 000002
【実用新案登録請求の範囲】
【請求項１】
既設のケーブル収容管の損傷した個所の撤去後、当該個所に上下から半割管を合わせ固定して行う補修構造において、
上記ケーブル収容管の損傷した個所の撤去後、当該ケーブル露出個所に沿って下側半割管を押し当て、当該押し当てた下側半割管の上側の両端縁に当該下側半割管の長手方向に沿って２つのＨ型のジッパーガスケットの各ジッパー用開口溝を外側にして各下側の開口溝を夫々嵌め入れて当該ジッパーガスケットを装着し、上記ケーブル露出個所の下側半割管の上方から上側半割管を被せて、各ジッパーガスケットの上側の開口溝に当該上側半割管の下側の両端縁を夫々嵌め入れ、各ジッパーガスケットの外側にあるジッパー用開口溝に夫々ジッパーを嵌め込んで当該ジッパーガスケットを固定して当該下側半割管と上側半割管を一体に固定して補修管を形成し、上記ケーブル収容管の両端と上記補修管の両端を略突き合わせた位置にまたがらせて管継手を被せて固定したことを特徴とする、ケーブル収容管の補修構造。
【請求項２】
上記下側半割管と上側半割管の外側の略中央の同一個所に略コの字型の落下防止金具を夫々設け、当該下側半割管と上側半割管を固定して補修管を形成した後、上記補修管の上下の各落下防止金具内に線条体を通して当該補修管の外周に巻いたことを特徴とする、上記請求項１に記載のケーブル収容管の補修構造。
【請求項３】
上記下側半割管と上側半割管を固定して形成した補修管の両端のうち一方の端縁に、上記管継手に代えて、当該補修管の各上側半割管、下側半割管の端縁外周に一端を固定して他端を各半割管の外方へ突出させた一定長の半割りさや管を夫々一体に設け、当該各半割りさや管の他端内側には上記補修管に接続する既設のケーブル収容管の一端を移動自在に挿通し、当該半割りさや管の上から略筒状の蛇腹状カバーを被せ、当該蛇腹状カバーの両端外側を線条体により夫々締め付けて固定したことを特徴とする、上記請求項１又は２の何れかに記載のケーブル収容管の補修構造。
【請求項４】
上記半割りさや管の既設のケーブル収容管を挿通する端部の内側であって、当該半割りさや管の外端縁から離れた個所の内径を、一定長当該半割りさや管の外端縁部の内径より大きく設けたことを特徴とする、上記請求項１乃至３の何れかに記載のケーブル収容管の補修構造。
【請求項５】
上記既設のケーブル収容管の損傷した個所を撤去せず、当該個所に上下から当該既設のケーブル収容管より大きい径の半割管を合わせ固定して行う補修構造において、
上記ケーブル収容管の損傷した個所に沿って下側半割管を押し当て、当該押し当てた下側半割管の上側の両端縁に当該下側半割管の長手方向に沿って２つのＨ型のジッパーガスケットの各ジッパー用開口溝を外側にして各下側の開口溝を夫々嵌め入れて当該ジッパーガスケットを装着し、上記ケーブル収容管の損傷した個所の下側半割管の上方から上側半割管を被せて、各ジッパーガスケットの上側の開口溝に当該上側半割管の下側の両端縁を夫々嵌め入れ、各ジッパーガスケットの外側にあるジッパー用開口溝に夫々ジッパーを嵌め込んで当該ジッパーガスケットを固定して当該下側半割管と上側半割管を一体に固定して補修管を形成し、当該補修管の両端と、当該補修管の両端の位置から続くケーブル収容管の一定部位にまたがらせて管継手を被せて固定したことを特徴とする、ケーブル収容管の補修構造。
【請求項６】
上記下側半割管と上側半割管の外側の略中央の同一個所に略コの字型の落下防止金具を夫々設け、当該下側半割管と上側半割管を固定して補修管を形成した後、上記補修管の上下の各落下防止金具内に線条体を通して当該補修管の外周に巻いたことを特徴とする、上記請求項５に記載のケーブル収容管の補修構造。
【考案の詳細な説明】
【技術分野】
【０００１】
この考案は、既設の鋼管製のケーブル収容管が損傷した場合に、当該損傷した個所を補修するための補修構造に関するものである。
【背景技術】
【０００２】
従来、主に橋梁高架に添架されている屋外設置型の既設の鋼管製の、電線や通信線等のケーブルを収容したケーブル収容管が腐食や破損などにより損傷することがある。その場合の補修方法としては、当該損傷個所の管の両端を鋸で切断し、管の縦割りを行って撤去し、当該露出したケーブルをはさんで半割管を上下から合わせて、当該半割管の合わせ面に接着剤を塗布して接着し、さらに接着剤を塗布した管形維持用のガイドカラーを一定間隔で上下交互に被せて接着し、その上から針金で縛った後に防食テープを巻くというものであった。
【非特許文献１】昭和６２年４月日本道路公団発行「管路工事施工要領」
【考案の開示】
【考案が解決しようとする課題】
【０００３】
しかしながら、この方法では、半割管等を接着するために接着剤を使用し、この接着剤が液体であるため扱い難く、下方（民地側）に不用意に垂れて汚すことがあり、これらを防ぐために養生を行う必要があった。また、当該接着剤が硬化するまでに時間を要し、補修完了までの時間を長くしていた。さらに、上下の半割管にガイドカラーを被せた後、針金で縛り、その上から防食テープで巻いていたが、防食テープを確実に巻くにはある程度の熟練を必要としていた。
【０００４】
そこで、この考案は、これらの点に鑑みて為されたもので、接着剤を使用せず、防食テープを巻く作業を行わず、熟練した作業を必要としない、誰でも、確実、容易かつ短時間で行える、ケーブル収容管の補修構造を提供して上記課題を解決するものである。
【課題を解決するための手段】
【０００５】
請求項１の考案は、既設のケーブル収容管の損傷した個所の撤去後、当該個所に上下から半割管を合わせ固定して行う補修構造において、上記ケーブル収容管の損傷した個所の撤去後、当該ケーブル露出個所に沿って下側半割管を押し当て、当該押し当てた下側半割管の上側の両端縁に当該下側半割管の長手方向に沿って２つのＨ型のジッパーガスケットの各ジッパー用開口溝を外側にして各下側の開口溝を夫々嵌め入れて当該ジッパーガスケットを装着し、上記ケーブル露出個所の下側半割管の上方から上側半割管を被せて、各ジッパーガスケットの上側の開口溝に当該上側半割管の下側の両端縁を夫々嵌め入れ、各ジッパーガスケットの外側にあるジッパー用開口溝に夫々ジッパーを嵌め込んで当該ジッパーガスケットを固定して当該下側半割管と上側半割管を一体に固定して補修管を形成し、上記ケーブル収容管の両端と上記補修管の両端を略突き合わせた位置にまたがらせて管継手を被せて固定したケーブル収容管の補修構造とした。
【０００６】
請求項２の考案は、上記下側半割管と上側半割管の外側の略中央の同一個所に略コの字型の落下防止金具を夫々設け、当該下側半割管と上側半割管を固定して補修管を形成した後、上記補修管の上下の各落下防止金具内に線条体を通して当該補修管の外周に巻いた上記請求項１に記載のケーブル収容管の補修構造とした。
【０００７】
請求項３の考案は、上記下側半割管と上側半割管を固定して形成した補修管の両端のうち一方の端縁に、上記管継手に代えて、当該補修管の各上側半割管、下側半割管の端縁外周に一端を固定して他端を各半割管の外方へ突出させた一定長の半割りさや管を夫々一体に設け、当該各半割りさや管の他端内側には上記補修管に接続する既設のケーブル収容管の一端を移動自在に挿通し、当該半割りさや管の上から略筒状の蛇腹状カバーを被せ、当該蛇腹状カバーの両端外側を上記線条体により夫々締め付けて固定した上記請求項１又は２の何れかに記載のケーブル収容管の補修構造とした。
【０００８】
請求項４の考案は、上記半割りさや管の既設のケーブル収容管を挿通する端部の内側であって、当該半割りさや管の外端縁から離れた個所の内径を、一定長当該半割りさや管の外端縁部の内径より大きく設けた上記請求項１乃至３の何れかに記載のケーブル収容管の補修構造とした。
【０００９】
請求項５の考案は、上記既設のケーブル収容管の損傷した個所を撤去せず、当該個所に上下から当該既設のケーブル収容管より大きい径の半割管を合わせ固定して行う補修構造において、上記ケーブル収容管の損傷した個所に沿って下側半割管を押し当て、当該押し当てた下側半割管の上側の両端縁に当該下側半割管の長手方向に沿って２つのＨ型のジッパーガスケットの各ジッパー用開口溝を外側にして各下側の開口溝を夫々嵌め入れて当該ジッパーガスケットを装着し、上記ケーブル収容管の損傷した個所の下側半割管の上方から上側半割管を被せて、各ジッパーガスケットの上側の開口溝に当該上側半割管の下側の両端縁を夫々嵌め入れ、各ジッパーガスケットの外側にあるジッパー用開口溝に夫々ジッパーを嵌め込んで当該ジッパーガスケットを固定して当該下側半割管と上側半割管を一体に固定して補修管を形成し、当該補修管の両端と、当該補修管の両端の位置から続くケーブル収容管の一定部位にまたがらせて管継手を被せて固定したケーブル収容管の補修構造とした。
【００１０】
請求項６の考案は、上記下側半割管と上側半割管の外側の略中央の同一個所に略コの字型の落下防止金具を夫々設け、当該下側半割管と上側半割管を固定して補修管を形成した後、上記補修管の上下の各落下防止金具内に線条体を通して当該補修管の外周に巻いた上記請求項５に記載のケーブル収容管の補修構造とした。
【考案の効果】
【００１１】
請求項１乃至６の各考案によれば、既設のケーブル収容管の補修作業において、露出したケーブル、又はケーブル収容管の損傷した個所を、上下から半割管で覆うのにジッパーガスケットを使用し、接着剤や防食テープを使用しないので、熟練した作業を必要とせず、当該作業に不慣れであっても、確実、容易かつ短時間で当該作業が行える。また、接着剤を使用しないので、当該接着剤が下に垂れることを心配しなくて済み、その為の養生も不要となり、さらに接着剤硬化のための時間が不要となるので、作業時間の短縮にもなる。従って、補修管取り付けと同時に必要な強度と水密性が得られる。
【００１２】
請求項２又は６の各考案によれば、下側半割管と上側半割管の外側の同一個所に落下防止金具を設け、当該各落下防止金具内に線状体を通して補修管を巻いたので、当該補修管が両端の管継手からずれたり、ジッパーガスケットの固着力が低下した場合、補修管が上下の半割管に分解して落下するのを防ぐことが出来る。
【００１３】
請求項３の考案によれば、補修管の端縁に設けた管継手に代えて、半割りさや管を設け、当該半割りさや管の他端内側に既設のケーブル収容管の一端を移動自在に挿通し、この半割りさや管の上から略筒状の蛇腹状カバーを被せたので、気温の変化による鋼管の伸縮に柔軟かつ無理なく対応することが出来、長期に渡って補修の効果が維持出来るものである。
【００１４】
請求項４の考案によれば、半割りさや管の外端縁から離れた個所の内径を当該半割りさや管の外端縁部の内径より大きく設け、挿通したケーブル収容管の端部が移動するクリアランスを大きく設けたので、気温の変化による鋼管の伸縮に対して、より柔軟かつ無理なく対応することが出来るものである。また、請求項５の考案によれば、損傷したケーブル収容管を撤去せずに、そのままその上下から当該ケーブル収容管より径の大きい半割管を合わせて固定して行うので、作業時間をより短縮することが出来、さらに、容易に作業を行うことが出来る。
【考案を実施するための最良の形態】
【００１５】
既設のケーブル収容管の損傷した個所の撤去後、当該個所に上下から半割管を合わせ固定して行う補修構造において、上記ケーブル収容管の損傷した個所の撤去後、当該ケーブル露出個所に沿って、外側の略中央の個所に略コの字型の落下防止金具を設けた下側半割管を押し当て、当該押し当てた下側半割管の上側の両端縁に当該下側半割管の長手方向に沿って２つのＨ型のジッパーガスケットの各ジッパー用開口溝を外側にして各下側の開口溝を夫々嵌め入れて当該ジッパーガスケットを装着した。
【００１６】
また、上記ケーブル露出個所の下側半割管の上方から、当該下側半割管と同様に外側の略中央の個所に略コの字型の落下防止金具を設けた上側半割管を被せて、各ジッパーガスケットの上側の開口溝に当該上側半割管の下側の両端縁を夫々嵌め入れ、各ジッパーガスケットの外側にあるジッパー用開口溝に夫々ジッパーを嵌め込んで当該ジッパーガスケットを固定して当該下側半割管と上側半割管を一体に固定して補修管を形成し、当該補修管の上下の各落下防止金具内に線条体を通して当該補修管の外周に巻き、上記ケーブル収容管の両端と上記補修管の両端を略突き合わせた位置にまたがらせて管継手を被せて固定した。
【実施例１】
【００１７】
以下、この考案の実施例１を図に基づいて説明する。
図１乃至図７は、この考案の、既設のケーブル収容管の損傷個所を補修する構造を示す。図２に示すように、既設のケーブル収容管１の補修個所の両端を鋸によって切断し、切断したケーブル収容管を撤去する。その後、図３に示すように、一部が撤去されてケーブル２が露出した個所を挟んだケーブル収容管１の対向する両端の外側下部に、一定長の半割管受金物３を押し当てて、ケーブル収容管１の両端の位置において、これらの上からメカニカル式管継手４（以下、単に「管継手」と言う）を被せてボルト４ａを締めて夫々仮付けする。上記半割管受金物３は、半割管状で内径が半割管の外径より若干大きく、長さは半割管よりかなり短いものから成る。
【００１８】
そして、図４に示すように、上記ケーブル露出個所のケーブル２の上に、切断したケーブル収容管の長さと略同じ長さの下側半割管５をケーブル２に沿って押し当てて被せ、その後、下側半割管５をケーブル２を軸として下側に回転させてケーブル２の下側に位置させてこの下側半割管５の両端縁を、先に取付けた上記２つの半割管受金物３で受ける。この時、下側半割管５の両端は隣接の既設のケーブル収容管１の両端に略当接しているものとする。続いて、この下側半割管５の上側の両端縁に当該下側半割管５の長手方向に沿って２つのＨ型のジッパーガスケット６を取付ける。
【００１９】
このジッパーガスケット６は、図５に示すように、側面略Ｈ型で上下に開口溝６ａ、６ｂを有し、一方の外側面にも開口溝６ｃを設け（以下、「ジッパー用開口溝」と言う）、ここにジッパー６ｄを嵌め入れて本体を固定するもので、このジッパーガスケット６は、上記下側半割管５と略同じ長さである。
【００２０】
上記ケーブル露出個所に取付けられた下側半割管５に、この２つのジッパーガスケット６を取付けるには、予めジッパーガスケット６を外しておいて、図６に示すように、この下側半割管５の上側の両端縁５ａに、当該下側半割管５の長手方向に沿ってジッパーガスケット６をジッパー用開口溝６ｃを外側にして下側の開口溝６ｂを夫々嵌め入れて装着する。さらに、上記ケーブル露出個所の上方から上側半割管７を被せて、上記下側半割管５に装着した各ジッパーガスケット６の上側の開口溝６ａにこの上側半割管７の下側の両端縁７ａを夫々嵌め入れる。
【００２１】
そして、各ジッパーガスケット６の外側にあるジッパー用開口溝６ｃにジッパー装着工具（図示省略）を使って夫々細長のジッパー６ｄを嵌め込んで各ジッパーガスケット６を固定し、上記下側半割管５と上側半割管７を一体に固定して補修管８を形成する。その後、上記ケーブル収容管１の両端に仮付けした各管継手４のボルト４ａを緩めて、上記ケーブル収容管１の両端に設けた半割管受金物３を夫々撤去する。その後、図１に示すように、これらの各管継手４を、このケーブル収容管１の両端と上記補修管８の両端を突き合わせた位置まで移動させて夫々ボルト４ａを締めて本付けする。
【００２２】
また、図１に示すように、予め上記下側半割管５と上側半割管７の外側の略中央の同一個所に略コの字型の落下防止金具９を夫々設け、当該下側半割管５と上側半割管７を固定して補修管８を形成した後、上記補修管８の上下の各落下防止金具９内にバンド１０を通して当該補修管８の外周を巻く。このバンド１０は、図７に示すように、一定の厚さを有する２つの略半環状ゴムスペーサ１０ａを、補修管８の外周上のジッパーガスケット６が突出していない個所に当てがって略環状に設け、その上から鋼製のバンド１０を環状に巻くことにより、この補修作業の後に、管継手４から補修管８が外れたり、また、ジッパーガスケットの固着力が低下して下側半割管５と上側半割管７の接合が壊れることがあっても、下側半割管５や上側半割管７が落下するようなことはない。
【実施例２】
【００２３】
次に、この考案の実施例２を図８乃至１２に基づいて説明する。
ここでは、上記実施例１と異なる構成についてのみ説明する。上記下側半割管５と上側半割管７を固定して形成した補修管８の一方の端縁に上記管継手４に代えて、図８に示すように、伸縮部１１を設けている。この伸縮部１１となる補修管８の一端は、予め工場において、図９及び図１０に示すように、この補修管８の下側半割管５及び上側半割管７の一端の外周に、一定長の半割りさや管１２の一端を溶接により固定して夫々一体に設け、夫々他端を各下側半割管５及び上側半割管７の外方へ突出させている。
【００２４】
この半割りさや管１２の他端の内側には、上記補修管８に隣接する既設のケーブル収容管の一端を長手方向に一定長移動自在に挿通している。また、この半割りさや管１２の内側であって、この半割りさや管１２の外端縁から少し離れた個所１２ａの内径を、図１１に示すように、当該半割りさや管１２の端縁部１２ｂの内径より大きく設けている。
【００２５】
さらに、この半割りさや管１２の上から、図１２に示すように、筒状であって長手方向にファスナー１３ａを設けて当該筒体を開閉自在にし、その両端の内側にパッキン１３ｂを備えた蛇腹状カバー１３を被せ、この蛇腹状カバー１３の両端を外側から夫々２本のバンド１４により締め付けて固定している。
【００２６】
これらにより、実施例２では、夏や冬における気温の変化による、鋼管製のケーブル収容管１の伸縮に対応が出来る。また、半割りさや管１２の外端縁から少し離れた個所の内径を当該半割りさや管１２の外端縁部の内径より大きくし、挿通されたケーブル収容管１の端縁部が移動出来るクリアランスを大きく設けているので、気温によるケーブル収容管１の伸縮変化に対して柔軟かつ無理なく対応することが出来る。
【００２７】
また、蛇腹状カバー１３の両端の内側にパッキン１３ｂを備えてその上からバンド１４により締め付けて固定しているので、蛇腹状カバー１３内の水密性が得られる。さらに、伸縮部１１に蛇腹状カバー１３を被せているので、伸縮部１１を雨風から保護し、さらに雨水等の侵入を防いでいる。この様な結果、長期に渡って補修の効果が維持出来るものである。また、この蛇腹状カバー１３は、ファスナー１３ａにより開閉自在となっているので、伸縮部１１に簡単に被せることが出来、作業時間の短縮につながる。
【実施例３】
【００２８】
さらに、この考案の実施例３を図１３乃至１５に基づいて説明する。
この実施例３では、上記実施例２と同様に上記実施例１と異なる構成についてのみ説明する。実施例３では、既設のケーブル収容管１の損傷した個所を撤去せず、その上下からケーブル収容管１の外径より内径の大きい下側半割管１５と上側半割管１６を合わせてそのまま固定する。これらの下側半割管１５と上側半割管１６によって形成される後述する補修管１７の内径は、ケーブル収容管１の外径より一回り大きいものとなっている。
【００２９】
下側半割管１５と上側半割管１６を合わせて固定する方法は、上記実施例１と同様に、ジッパーガスケットを使用して行う。下側半割管１５の上側の両端縁１５ａ及び上側半割管１６の下側の両端縁１６ａに、ジッパーガスケット１８の各開口溝１８ａ、ｂを夫々嵌め入れ、ジッパー用開口溝１８ｃに夫々細長のジッパー１８ｄを嵌め込んで各ジッパーガスケット１８を固定し、上記下側半割管１５と上側半割管１６を一体に固定して補修管１７を形成する。
【００３０】
また、補修管１７の両端と、この補修管１７の両端の位置から続くケーブル収容管１の一定部位に、上記実施例１で使用した管継手４をまたがらせて被せて固定する。この時、補修管１７の内径がケーブル収容管１の外径より一回り大きいので、各管継手４内周面の補修管１７の両端からケーブル収容管１へと続く個所には、段差が設けられており、補修管１７の外周とケーブル収容管１の外周に夫々管継手４の内周面が密着している。また、落下防止金具９やバンド１０を使用するのも上記実施例１と同様である。
【００３１】
なお、上記実施例１では、損傷したケーブル収容管１を撤去した後、下側半割管５をケーブル露出部に取付けるのに半割管受金物３を使用しているが、この半割管受金物３の使用は、この考案の必須要件ではない。また、ジッパー６ｄの嵌め込みにジッパー装着工具を使用しているが、ジッパー装着工具の使用は、この考案の必須要件ではない。さらに、補修管８の外周に鋼製のバンド１０を巻くのに略半環状ゴムスペーサ１０ａを介して巻いているが、もちろんこの略半環状ゴムスペーサ１０ａを介さずにバンド１０を直接補修管８の外周に巻くようにしても良く、また、使用するバンドは鋼製に限るものではなく、バインド線等適宜の線条体でもよい。さらに、上記実施例３において、管継手４を使用しているが、もちろん、これらのものより大きい規格のものを使用しても良い。
【図面の簡単な説明】
【００３２】
【図１】この考案の実施例１の補修構造により補修されたケーブル収容管の正面図である。
【図２】この考案の実施例１において、既設のケーブル収容管から損傷個所を撤去した状態の正面図である。
【図３】この考案の実施例１において、既設のケーブル収容管から損傷個所を撤去し、半割管受金物を中に入れて各管継手をケーブル収容管に仮付けした状態の正面図である。
【図４】この考案の実施例１において、既設のケーブル収容管から損傷個所を撤去し、半割管受金物を中に入れて各管継手をケーブル収容管に仮付けし、下側半割管を取り付けた状態の正面図である。
【図５】この考案の実施例１において使用するＨ型のジッパーガスケットの側面図である。
【図６】この考案の実施例１において、下側半割管と上側半割管をジッパーガスケットで固定した状態の側面図である。
【図７】図１におけるａ−ａ線断面図である。
【図８】この考案の実施例２の補修構造により補修されたケーブル収容管の正面図である。
【図９】この考案の実施例２における伸縮部の拡大一部断面図である。
【図１０】この考案の実施例２における伸縮部の上側半割管の一端に半割りさや管を取り付けた状体の一部省略正面図である。
【図１１】この考案の実施例２の半割りさや管の正面図である。
【図１２】この考案の実施例２の蛇腹状カバーの一部省略断面図である。
【図１３】この考案の実施例３の補修構造により補修されたケーブル収容管の正面図である。
【図１４】この考案の実施例３の補修構造により補修されたケーブル収容管の概念図である。
【図１５】図１３におけるｂ−ｂ線端面図である。
【符号の説明】
【００３３】
１    ケーブル収容管                  ２    ケーブル
４    管継手                          ５    下側半割管
６    ジッパーガスケット              ７    上側半割管
８    補修管                          ９    落下防止金具
１０    バンド                        １２    半割りさや管
１３    蛇腹状カバー                  １５    下側半割管
１６    上側半割管                    １７    補修管
１８    ジッパーガスケット
【図１】
0003113083.tif 000003
【図２】
0003113083.tif 000004
【図３】
0003113083.tif 000005
【図４】
0003113083.tif 000006
【図５】
0003113083.tif 000007
【図６】
0003113083.tif 000008
【図７】
0003113083.tif 000009
【図８】
0003113083.tif 000010
【図９】
0003113083.tif 000011
【図１０】
0003113083.tif 000012
【図１１】
0003113083.tif 000013
【図１２】
0003113083.tif 000014
【図１３】
0003113083.tif 000015
【図１４】
0003113083.tif 000016
【図１５】
0003113083.tif 000017